(57)【特許請求の範囲】
【請求項１】
アスベスト施工面を養生シートによって養生して、負圧状態に維持されるように形成した負圧施工区画内に、負圧状態に維持されるように、プラスチック製のハーモニカ状の中空構造で板状に成形される中空構造板材の表面にシート材を粘着するようにして隔離板となし、
この隔離板で隔離形成する負圧洗浄室を備えた施工区域でアスベスト処理が行われ、
前記負圧施工区画内で前記アスベスト施工面のアスベストのアスベスト除去作業終了後、前記アスベストにまみれた機材、機器、建材などの廃材を、前記負圧洗浄室に移動させ、
前記負圧施工区画内よりも更に低い負圧状態に維持されるようにした前記負圧洗浄室内で前記廃材から前記アスベストを除去するように洗浄した清浄部材を外部で回収することを特徴とする廃棄物処理における廃棄物削減方法。
【請求項２】
前記中空構造板材に粘着するシート材は剥がれるようにすることを特徴とする請求項１に記載の廃棄物処理における廃棄物削減方法。
【請求項３】
前記シート材は前記中空構造板材における前記負圧洗浄室内側の片面に粘着することを特徴とする請求項２に記載の廃棄物処理における廃棄物削減方法。
【発明の詳細な説明】
【技術分野】
【０００１】
本発明は、アスベスト等を除去して廃棄物処理する際に、そのアスベスト等が付着した廃材を削減するための廃棄物処理における廃棄物削減方法に関する。
【背景技術】
【０００２】
建築物の解体、建築物の内外装材などの除去を行う際に、発生するアスベスト等の粉塵が施工区域外に飛散することを防止するため、その施工区画をビニールシート等の遮蔽物によって覆って養生し、この施工区画内部を負圧に維持して施工区画外への粉塵の飛散を防止するようにした施工区画装置が知られている（例えば特許文献１）。
【０００３】
【特許文献１】特開平９−２７９８６１号公報
【発明の開示】
【発明が解決しようとする課題】
【０００４】
このように、特許文献１の施工区画装置によって建築物からアスベストを除去した後には、アスベスト粉塵にまみれた機材、機器、建材などの廃材が残る。この廃材はアスベスト粉塵が付着しているため、専用のプラスチック袋を使用して二重梱包しなければならない。ところが廃材の形状はさまざまであり、全てを二重梱包するためには、廃材を小さく切断・分解するなどの相当な手間とコストが生じる問題を有している。
【０００５】
また、廃材は形状が複雑でプラスチック袋が破断してアスベストが外部へ飛散する危険を有している。しかも、この廃材は一般廃棄物とは違い、特別管理産業廃棄物として処理するために処理コストが一般廃棄物の１０倍以上となっている問題を有している。
【０００６】
本発明の課題は、アスベストが付着した廃材の削減やリサイクルを可能にした廃棄物処理における廃棄物削減方法を提供することにある。
【課題を解決するための手段及び発明の効果】
【０００７】
本発明の廃棄物処理における廃棄物削減工法は、アスベスト施工面を養生シートによって養生して、負圧状態に維持されるように形成した負圧施工区画内に、負圧状態に維持されるように、プラスチック製の中空構造で板状に成形される中空構造板材の表面にシート材を粘着するようにして隔離板となし、この隔離板で隔離形成する負圧洗浄室を備えた施工区域でアスベスト処理が行われ、負圧施工区画内でアスベスト施工面のアスベストのアスベスト除去作業終了後、アスベストにまみれた機材、機器、建材などの廃材を、負圧洗浄室に移動させ、負圧洗浄室内で廃材からアスベストを除去するように洗浄して清浄部材を回収することを特徴とする。
【０００８】
このように構成したことにより、アスベストが付着した廃材を削減することができるため、特別管理産業廃棄物の処理費用を低減して処理コストを安価にすることができる。また、アスベストが除去された清浄部材として回収できるため、廃材のリサイクルが可能となる。
【０００９】
また、負圧洗浄室は、プラスチック製のハーモニカ状の中空構造で板状に成形される中空構造板材からなる隔離板で形成することができ、これによって、隔離板は中空構造の板状であるため、接着テープを使用して容易に接合でき、軽量かつ取り扱い易く、かつ機械的強度が高く、負圧洗浄室内を高い負圧状態に維持でき、負圧洗浄室外への粉塵の飛散を防止できる。
【００１０】
また、中空構造板材に粘着するシート材は剥がれるようにすることができ、これによってシート材を廃棄物として処理する作業が、負圧状態の負圧洗浄室内で行えることにより、シート材除去作業中にシート材に付着したアスベストが再飛散しても、負圧状態内での飛散であるため、二次的な外部飛散を防止することができる。また、シート材は中空構造板材の両面に粘着することができ、これによって中空構造板材にはアスベストが付着しないため、再利用することが可能となる。また、前記シート材は前記中空構造板材における前記負圧洗浄室内側の片面に粘着することができる。
【発明を実施するための最良の形態】
【００１１】
以下、本発明の実施の形態を図面に示す実施例を参照して説明する。図１は、本発明に係る廃棄物処理における廃棄物削減方法で使用する負圧施工区画の平面を示す模式図である。図１において、建築物１（天井は省略）における壁面１ａには、アスベストを含む内装材が施工されている。この内装材によって施工されたアスベスト施工面１ｂを、ポリエチレン、ポリエチレンテレフタレート（ＰＥＴ樹脂）、塩化ビニルなどのプラスチック製の養生シート２で覆って養生して負圧施工区画３を形成している。なお、養生シート２として、床面に施工する場合には、厚さ０．１５ｍｍ以上のものが複層（２重）で使用され、また、壁面１ａに施工する場合には、厚さ０．０８ｍｍ以上のものが単層で使用される。
【００１２】
この負圧施工区画３には、ＨＥＰＡフィルター（High  Efficiency  Particulate  Air  Filter）を内蔵した換気集塵装置４が接続される。この換気集塵装置４は負圧施工区画３の外部に配置され、ホース４ａによって負圧施工区画３に接続される。すなわち換気集塵装置４によって負圧施工区画３内の空気を吸引して外部に対して負圧状態に維持するとともに、吸引空気中のアスベスト等の粉塵を集塵している。なお、ＨＥＰＡフィルターにおける微粒子の捕集は、「濾遇(ふるい効果)」、「慣性(衝突)」、「さえぎり(静電吸着)」、「拡散(ブラウン運動)」の原理を応用しており、最も捕りにくいとされる０．３ミクロンの粒子を９９．９７％以上捕集できるものである。
【００１３】
また、負圧施工区画３には、この区画内への作業者の出入りのためのセキュリティゾーン５が附設される。このセキュリティゾーン５はアスベスト粉塵が負圧施工区画３から外部へ漏洩することを防止するために設けられる。セキュリティゾーン５は外部から負圧施工区画３内へ向う方向順に、更衣室５ａ、洗浄室５ｂ、前室５ｃなどから構成される。なお、これらの室は、図示しないジッパ式のファスナを備えるカーテン状の仕切シートによって仕切られている。
【００１４】
この負圧施工区画３には負圧洗浄室６が設けられる。この負圧洗浄室６は、負圧施工区画３内に配置され、その負圧洗浄室６と負圧施工区画３とは隔離されている。この負圧洗浄室６は、隔壁板７によって組み立てられる。この隔離板７は図２に示すように、ハーモニカ状の中空構造で板状に成形される中空構造板材８としてのプラスチックダンボール（本例ではポリプロピレン樹脂製で、厚み３ｍｍを使用）を使用している。このプラスチックダンボールの片面若しくは両面にはポリエチレンテレフタレート製のシート材９（本例では厚み０．１５ｍｍを使用）が粘着される。
【００１５】
そして、図３に示すように、作業者が負圧洗浄室６内で、負圧施工区画３内でのアスベスト除去作業によって発生したアスベストの粉塵にまみれた機材、機器、建材などの廃材Ｗに付着するアスベストの剥離、除去が行える広さを確保するように、隔壁板７を壁部材や天井部材として使用し、負圧洗浄室６が組み立てられている。
【００１６】
この組み立てに際しては、隔離板７が中空構造板材８とした板状であるため、隔離板７相互の接合個所（突合せや、重ね合わせ）は、接着テープ１０を使用して容易に接合することができる。
【００１７】
また、負圧洗浄室６には、ＨＥＰＡフィルターを内蔵した換気集塵装置１４が接続される。この換気集塵装置１４は負圧施工区画３の外部に配置され、ホース１４ａによって負圧洗浄室６に接続される。すなわち換気集塵装置１４によって負圧洗浄室６内の空気を吸引して外部に対して負圧状態に維持するとともに、吸引空気中のアスベスト等の粉塵を集塵している。また、負圧洗浄室６には、ＨＥＰＡフィルターを内蔵した給気集塵装置１５が接続される。この給気集塵装置１５は負圧施工区画３の外部に配置され、ホース１５ａによって負圧洗浄室６に接続される。すなわち埃、塵などを除去した清浄な外気を負圧洗浄室６内に供給するので、これによって外気が供給された状態で、換気集塵装置１４と協働して負圧洗浄室６内を負圧にできることにより、負圧洗浄室６内の空気の流れをショートパス（短絡）させることなくワンパス（一方向流れ）状態にしている。
【００１８】
負圧洗浄室６には、第一および第二の出入口６ａ、６ｂが設けられる。第一の出入口には、この出入口２ａを経由して負圧施工区画３に通じる前室１６が設けられる。また、第二の出入口６ｂには、この出入口６ｂを経由して負圧施工区画３の外部に通じる後室１６ａが設けられる。これら前室１６、後室１６ａはアスベスト粉塵が負圧洗浄室６から外部や負圧施工区画３内へ漏洩することを防止するために設けられる。
【００１９】
なお、前室１６、後室１６ａは、複数の帯状部材を垂れ下がるようにして設けたカーテン状の仕切シート１６ｂによって仕切られている。この仕切シート１６ｂは、厚さ５ｍｍのポリエチレン、ポリエチレンテレフタレート（ＰＥＴ樹脂）、塩化ビニルなどのプラスチック製からなるため、この仕切シート１６ｂを構成する帯状部材の間を空気が流れるようにして乱気を防止する。なお、前室１６、後室１６ａも負圧洗浄室６と同様に隔離板７によって形成される。
【００２０】
つぎに、廃棄物処理における廃棄物削減方法について説明する。この廃棄物削減方法は、アスベスト施工面１ｂを養生シート２によって養生して、負圧状態に維持されるように形成した負圧施工区画３内に、この負圧施工区画３よりも更に低い負圧状態に維持されるように隔離形成された負圧洗浄室６を備えた施工区域において行われる。
【００２１】
負圧施工区画室３内の気圧は外気圧より１０Ｐａ程度低くする。これは換気集塵装置４を１時間に２０回の換気作動回数で達成できるようにした。この負圧状態は図示しない差圧計で常時計測管理する。
【００２２】
このように負圧状態が維持された管理下において、作業者はセキュリティゾーン５を通って負圧施工区画３内に入る。この負圧施工区画３内のアスベスト施工面１ｂのアスベストの除去作業をする。この除去作業は、先ずアスベストＡを薬液、その他で湿潤化し、その後、ヘラ、ケレン棒などの手工具、高圧水によるウオータージェットなどの各種剥離手段(図示せず)によって行う。この除去作業中に発生する負圧施工区画３内でのアスベスト粉塵は換気集塵装置４によって集塵される。
【００２３】
そして、アスベスト除去作業終了後は、負圧施工区画３内にアスベスト粉塵にまみれた機器、建材などの廃材が残る。この廃材Ｗを負圧洗浄室６に移動させ、負圧洗浄室６内で廃材Ｗにドライアイス粒を噴きつけて、付着するアスベストを除去するように洗浄して清浄部材を得る。その後、清浄部材を後室１６ａを経て外部で回収するようにしている。
【００２４】
このドライアイス粒を噴きつけるためのブラスト装置２０（図３参照）は、ドライアイスポッパ２０ａ、コンプレッサ２０ｂ、高圧ホース２０ｃ、ノズル２０ｄを備えている。ブラスト装置２０はドライアイス粒を圧縮空気とともに廃材に向けて噴射できる。噴射されるドライアイス粒は、アスベストの除去に必要な衝撃力を与えることができる。なお、このブラスト装置２０は負圧施工区画３内でのアスベスト除去作業にも使用することができる。
【００２５】
また、アスベスト除去作業中にアスベスト粉塵の一部が隔離板７のシート材９（図２参照）の表面に付着しているため、このシート材９の処分を行う。この処分方法としては、シート材９が中空構造板材８に粘着されているため、そのシート材９を剥がして図示しない２重の隔離廃棄袋内に収容して処分できる。しかも、この作業は、負圧洗浄室６を形成する隔離板７としての中空構造板材８が残存しているため、負圧洗浄室６自体を解体することなく行える。このため負圧状態が維持される負圧洗浄室６、負圧施工区画３内でシート材９の処分が行えることにより、この作業による二次的な外部飛散を防止することができる。なお、シート材９表面には飛散防止材を塗布することにより、シート材９の処分中でのアスベスト粉塵の飛散を防止することができる。
【図面の簡単な説明】
【００２６】
【図１】本発明に係る廃棄物処理における廃棄物削減方法で使用する負圧施工区画の平面を示す模式図。
【図２】隔離板を示す部分斜視図。
【図３】負圧洗浄室を示す模式図。
【符号の説明】
【００２７】
１ｂ        アスベスト施工面
２          養生シート
３          負圧施工区画
６          負圧洗浄室
７          隔離板
８          中空構造板材
９          シート材
Ｗ          廃材
【要約】
【課題】  アスベストが付着した廃材の削減やリサイクルを可能にした廃棄物処理における廃棄物削減方法を提供する。
【解決手段】  アスベスト施工面１ｂを養生シート２によって養生して、負圧状態に維持されるように形成した負圧施工区画３内に、負圧状態に維持されるように隔離形成された負圧洗浄室６を備えた施工区域において、負圧施工区画３内でアスベスト施工面１ｂのアスベストを除去した後の、アスベストにまみれた機材、機器、建材などの廃材Ｗを、負圧洗浄室６に移動させ、負圧洗浄室６内で廃材からアスベストを除去するように洗浄して清浄部材を回収するので、アスベストが付着した廃材を削減でき、特別管理産業廃棄物の処理費用を低減して処理コストを安価にする。また、アスベストが除去された清浄部材として回収できるため、廃材のリサイクルが可能となる。
【選択図】  図１【図１】
0004180643.tif 000002
【図２】
0004180643.tif 000003
【図３】
0004180643.tif 000004